(57)【要約】【課題】ガス燃焼装置において、電磁開閉弁を閉弁状態から開弁状態へ切替える際の騒音の発生を防止しつつ、燃焼運転開始指示からバーナが点火されるまでの時間が長くなることを抑制する。【解決手段】ガス暖房機Ａは、燃料ガスをガスバーナ４へ導くガス供給管６に配設されて印加電圧に応じて該ガス供給管６を開閉する電磁開閉弁２４，２５と、ガスバーナ４に臨んで設けられて、駆動時に火花放電を生じる点火器１９と、ユーザによる燃焼運転開始指示を受けたときに、電磁開閉弁２４，２５の印加電圧を、電磁開閉弁２４，２５が閉弁状態となる閉弁レベルから電磁開閉弁２４，２５が開弁状態となる開弁レベルまで漸増させる印加電圧漸増処理を開始し、該開始後に点火器１９を駆動してガスバーナ４に点火する制御部３４とを備える。【選択図】図１
2014214973.tif 000002
【特許請求の範囲】
【請求項１】
バーナと、
燃料ガスを前記バーナへ導く燃料ガス通路と、
該燃料ガス通路に配設されて印加電圧に応じて該燃料ガス通路を開閉する電磁開閉弁と、
バーナに臨んで設けられて、駆動時に火花放電を生じる点火器と、
ユーザによる燃焼運転開始指示を受けたときに、前記電磁開閉弁の印加電圧を、前記電磁開閉弁が閉弁状態となる閉弁レベルから前記電磁開閉弁が開弁状態となる開弁レベルまで漸増させる印加電圧漸増処理を開始し、該開始後に点火器を駆動してバーナに点火する制御部とを備えることを特徴とするガス燃焼装置。
【請求項２】
請求項１記載のガス燃焼装置において、
前記制御部は、前記印加電圧漸増処理において前記点火器の駆動開始時までは前記電磁開閉弁が閉弁状態に保持されるレベル範囲内で前記電磁開閉弁の印加電圧を漸増することを特徴とするガス燃焼装置。
【請求項３】
請求項１又は２記載のガス燃焼装置において、
前記制御部は、ユーザによる燃焼運転開始指示を受けて前記印加電圧漸増処理を開始したときに、前記電磁開閉弁の印加電圧が前記開弁レベルまで上昇する前に、所定の異常有無確認処理を開始し、異常を確認したときは、前記電磁開閉弁の印加電圧を前記閉弁レベルに戻すことを特徴とするガス燃焼装置。
【発明の詳細な説明】
【技術分野】
【０００１】
本発明は、ガス暖房機等のガス燃焼装置に関する。
【背景技術】
【０００２】
ガス暖房機等のガス燃焼装置は、燃料ガスをバーナへ導く燃料ガス通路に配設されて印加電圧に応じて該燃料ガス通路を開閉する電磁開閉弁を備える。該電磁開閉弁は、ユーザによる燃焼運転の開始及び停止の指示に応じて燃料ガス通路を開閉するとともに、燃焼運転中に停電その他の異常が検知されたときに、燃料ガス通路を遮断する安全弁としての役割も有している。
【０００３】
従来のガス燃焼装置は、燃焼運転開始時に、燃焼運転に支障が生じる異常がないかを確認し、異常が無いことが確認されれば、点火器を駆動した状態で、電磁開閉弁を閉弁状態から開弁状態へ切替えて燃料ガス通路を開くことにより、バーナに点火するようにしている。
【０００４】
また、電磁開閉弁の開閉時の衝撃を緩和するために、特許文献１の電磁開閉弁のように、印加電圧を漸増させることにより、弁体が緩慢に移動するようにしたものが知られている。
【先行技術文献】
【特許文献】
【０００５】
【特許文献１】実開平１−１１５０８６号公報
【発明の概要】
【発明が解決しようとする課題】
【０００６】
ガス燃焼装置に備えられる電磁開閉弁では、閉弁状態から開弁状態へ切替える場合に、弁体がストッパに当接する際に生じる音（騒音）を小さくすることが望まれる。そこで、従来のガス燃焼装置に特許文献１の印加電圧を漸増させる処理を適用して、弁体をストッパに緩やかに当接させることにより、当接する際に生じる音を低減するが考えられる。しかし、この場合には、電磁開閉弁への電圧の印加を開始してから、印加電圧が漸増して、電磁開閉弁が開弁状態になるまで所要時間が、印加電圧を漸増することなく、一気に開弁状態のレベルの電圧まで増大させる場合よりも長くなる。したがって、燃焼運転開始指示からバーナが点火されるまでの時間が長くなり、好ましくない。
【０００７】
本発明の目的は、電磁開閉弁を閉弁状態から開弁状態へ切替える際の騒音を防止しつつ、燃焼運転開始指示からバーナが点火されるまでの時間が長くなることを抑制したガス燃焼装置を提供することである。
【課題を解決するための手段】
【０００８】
本発明は上記目的を達成するためになされたものであり、本発明のガス燃焼装置は、バーナと、燃料ガスを前記バーナへ導く燃料ガス通路と、該燃料ガス通路に配設されて印加電圧に応じて該燃料ガス通路を開閉する電磁開閉弁と、バーナに臨んで設けられて、駆動時に火花放電を生じる点火器と、ユーザによる燃焼運転開始指示を受けたときに、前記電磁開閉弁の印加電圧を、前記電磁開閉弁が閉弁状態となる閉弁レベルから前記電磁開閉弁が開弁状態となる開弁レベルまで漸増させる印加電圧漸増処理を開始し、該開始後に点火器を駆動してバーナに点火する制御部とを備えることを特徴とする。
【０００９】
かかる本発明によれば、電磁開閉弁の閉弁状態から開弁状態への切替は、印加電圧漸増処理により行われるので、電磁開閉弁は、徐々に閉弁状態から開弁状態へ切替えられ、これにより、切替時に電磁開閉弁の弁体がストッパに当接する際に生じる騒音を防止することができる。また、印加電圧漸増処理が点火器の駆動開始前に開始されることにより、電磁開閉弁の印加電圧が点火器の駆動開始後に開弁レベルに達する時刻が早まり、ひいては、ユーザによる燃焼運転開始指示からバーナが点火されるまでの時間が長くなることを抑制することができる。
【００１０】
また、前記制御部は、前記印加電圧漸増処理において前記点火器の駆動開始時までは前記電磁開閉弁が閉弁状態に保持されるレベル範囲内で前記電磁開閉弁の印加電圧を漸増することが好ましい。
【００１１】
この構成によれば、点火器の駆動開始後に電磁開閉弁が開弁状態に達する時刻を早めるために、印加電圧漸増処理を点火器の駆動開始前に開始したときも、点火器の駆動前のバーナへのガスの放出を防止することができる。
【００１２】
また、前記制御部は、ユーザによる燃焼運転開始指示を受けて前記印加電圧漸増処理を開始したときに、前記電磁開閉弁の印加電圧が前記開弁レベルまで上昇する前に、所定の異常有無確認処理を開始し、異常を確認したときは、前記電磁開閉弁の印加電圧を前記閉弁レベルに戻すことが好ましい。
【００１３】
この構成によれば、点火器の駆動開始後に電磁開閉弁が開弁状態に達する時刻を早めるために、印加電圧漸増処理の開始時刻を早めたときも、電磁開閉弁が開弁状態に達する前に、所定の異常有無確認処理を開始するので、もし異常有無確認処理において異常が確認されれば、電磁開閉弁の印加電圧が開弁レベルに達する前に閉弁レベルに戻される。したがって、ガス燃焼装置に異常が生じている状態でバーナの燃焼が開始されることを回避することができる。
【図面の簡単な説明】
【００１４】
【図１】本発明の実施形態に係るガス暖房機の全体構成図。
【図２】ガス暖房機の制御ブロック図。
【図３】燃焼運転開始ルーチンのフローチャート。
【図４】燃焼運転開始ルーチンにおけるタイミングチャート。
【発明を実施するための形態】
【００１５】
図１を参照して、ガス暖房機Ａは、室内に設置される本体ケース１内に、ダクト２、送風ファン３、ガスバーナ４、給気ダクト５、ガス供給管６、及び制御ユニット７を備えている。
【００１６】
ダクト２は、温風の送風路を構成するものであり、室内空気ｓを取り込むための吸気口８が本体ケース１の背面に開口し、本体ケース１の前面下部において温風の吹出口９が開口している。吸気口８には、塵や埃等がダクト２内に流入するのを防ぐためにエアフィルタ１０が着脱自在に取付けられている。吹出口９には、その開口度合いを調節する可動式ルーバ１１が取付けられ、この可動式ルーバ１１を駆動するためのギヤドモータ１２が設けられている。
【００１７】
送風ファン３は、通電電流に比例して回転数が変化するファンモータ１４と、ダクト２内に吹出口９に臨んで配置され、ファンモータ１４により回転駆動される回転羽根１５とを有し、回転羽根１５の回転により吸気口８からダクト２内に室内空気ｓを吸引する。そして、吸引した室内空気ｓをダクト２内に組み込まれたガスバーナ４の燃焼排気ｈと混合し、それを温風ｍとして吹出口９から室内に送出する。この送風ファン３には、ファンモータ１４の回転数を検出するホール素子等により構成される回転速度センサ１６が設けられ、回転速度センサ１６は、ファンモータ１４の回転数に応じた信号を制御ユニット７に出力する。
【００１８】
ダクト２内に組み込まれたガスバーナ４は、その燃焼胴１７内に燃焼プレート１８を配している。イグナイタ１９−１と点火電極１９−２とは点火器１９（図２）を構成する。イグナイタ１９−１は、制御ユニット７により駆動され、駆動時では高電圧を間欠的に発生する。点火電極１９−２は、燃焼プレート１８（狭義の「バーナ」に相当する）に臨むように配置され、イグナイタ１９−１の駆動時にイグナイタ１９−１から間欠的に供給される高電圧によって間欠的に火花放電して、燃焼プレート１８からの燃焼用空気と燃料ガスとの混合気に点火する。
【００１９】
ガスバーナ４の燃焼排気ｈは燃焼胴１７からダクト２内に排出される。また、燃焼プレート１８の下流側には燃焼炎の有無を検知するための熱電対２０が配置される。熱電対２０は、ガスバーナ４の燃焼炎に晒されたときに、燃焼炎の温度に応じた熱起電力を発生し、その熱起電力を制御ユニット７に出力する。
【００２０】
給気ダクト５は、室内空気（燃焼用空気）ｓと燃料ガスとをガスバーナ４に供給するための通路であり、ガスバーナ４の燃焼胴１７内に連通しかつダクト２と共に本体ケース１内に組み込まれ、本体ケース１の背面で開口した室内空気ｓの吸気口２１を有している。そして、給気ダクト５のガスバーナ４側の箇所には、ガス供給管６の先端に取付けられたノズル２２が設けられている。給気ダクト５には、送風ファン３の回転作動により吸気口２１から室内空気ｓが吸引され、吸引された室内空気ｓがガス供給管６のノズル２２から噴出される燃料ガスと混合されて、その混合気がガスバーナ４に供給される。なお、吸気口２１は、ダクト２の吸気口８と共にエアフィルタ１０により覆われている。
【００２１】
また、給気ダクト５の内部の吸気口２１付近の箇所には、この吸気口２１に臨んでサーミスタにより構成された温度センサ１３が取付けられている。この温度センサ１３は、ガス暖房機Ａの暖房運転中、常時定期的に検出した室温Ｔrを示す信号を制御ユニット７に出力する。
【００２２】
ガス供給管６には、その上流側より、電磁開閉弁２４，２５及び比例制御弁２６が順に配設されている。電磁開閉弁２４，２５は、制御ユニット７からの印加電圧により開閉制御されるものであり、印加電圧が０Ｖになって通電が停止されると閉弁状態となって燃料ガスの通過を遮断する。比例制御弁２６は、制御ユニット７からの通電電流の大きさに伴って開度が増大する弁であり、ガスバーナ４への燃料ガスの供給量を調整する。
【００２３】
操作パネル２７は本体ケース１の外面部に設けられている。操作パネル２７には、運転スイッチ２８（図２）やその他の各種スイッチ（図示せず）、及び表示部（図示せず）が配設されている。運転スイッチ２８は、使用者のオン・オフ操作によりガス暖房機Ａの図示しない主電源のオン・オフを示す信号を制御ユニット７に出力する。なお、運転スイッチ２８を含む操作パネル２７のスイッチの周囲には発光部が設けられており、これらのスイッチのオン・オフ操作に応じて発光部がそれぞれ点灯及び消灯し、使用者がオン・オフの設定状態を確認することができる。
【００２４】
図２を参照して、ガス暖房機Ａにおいて燃焼運転開始ルーチンに関連する制御ブロックについて説明する。
【００２５】
制御ユニット７は、図示しないＣＰＵ、メモリ、各種インターフェース回路等により構成された電子回路ユニットであり、制御部３４を含む。制御部３４は、制御ユニット７がメモリに保持されたガス暖房機Ａの制御用プログラムを実行することによって実現する機能である。後述の図３の燃焼運転開始ルーチンは、ガス暖房機Ａの制御用プログラムに含まれているものである。
【００２６】
制御部３４には、回転速度センサ１６、熱電対２０及び運転スイッチ２８の検知信号等が入力される。制御部３４は、ファンモータ１４、点火器１９、電磁開閉弁２４，２５、及び比例制御弁２６に駆動信号又は制御信号を出力する。
【００２７】
図３及び図４を参照して、燃焼運転開始ルーチンについて説明する。図３は燃焼運転開始ルーチンのフローチャートであり、図４は燃焼運転開始ルーチンにおけるタイミングチャートである。
【００２８】
図４において、電磁開閉弁２４，２５の印加電圧以外は、“１（高レベル）”はオン又は実行中を意味し、“０（低レベル）”はオフ又は非実行中を意味する。運転スイッチ２８は、ユーザが押下している期間だけ、オンになる。ユーザは、ガス暖房機Ａに対し燃焼運転開始を指示するときも燃焼運転終了を指示するときも運転スイッチ２８を押下して、オンにする。ユーザからの指示は、燃焼運転開始指示と燃焼運転終了指示とが交互に繰り返されるので、制御部３４は、運転スイッチ２８がオンになるごとに、燃焼運転開始指示と燃焼運転終了指示とを交互に繰り返すことにより運転者からの指示を区別する。
【００２９】
燃焼運転開始ルーチンは制御部３４により実施される。制御部３４は、ユーザによる運転スイッチ２８のオン操作（図４：時刻ｔ１）をトリガにして燃焼運転開始ルーチンを開始する。
【００３０】
ＳＴＥＰ１〜ＳＴＥＰ１０は、燃焼運転開始ルーチン専用の処理である。ＳＴＥＰ１５〜ＳＴＥＰ１７は、ガス暖房機Ａの運転中、燃焼運転開始ルーチンを含む各種ルーチンにおいて共通に実施される処理である。制御部３４は、ＳＴＥＰ１〜ＳＴＥＰ１０を順次実行しつつ、ＳＴＥＰ１５〜ＳＴＥＰ１７をマルチタスク形式又は割込み形式で実行する。
【００３１】
制御部３４がＳＴＥＰ１５〜ＳＴＥＰ１７を割込み形式で実行する場合には、制御部３４は、ＳＴＥＰ１〜ＳＴＥＰ１０の順次実行中に、一定時間の経過ごとに生じる時間割込み信号をトリガにして、ＳＴＥＰ１５の実行を開始する。制御部３４は、ＳＴＥＰ１６で異常を検出していないと判断したときは、ＳＴＥＰ１６で一旦処理を終了して、次の時間割込み信号を待つ。また、制御部３４は、ＳＴＥＰ１６で異常を検出したと判断したときは、処理をＳＴＥＰ１７へ進ませる。制御部３４は、ＳＴＥＰ１〜ＳＴＥＰ１０より、ＳＴＥＰ１５〜ＳＴＥＰ１７を優先処理する。
【００３２】
ＳＴＥＰ１（図４：時刻ｔ１）では、制御部３４は、燃焼運転開始ルーチンの開始と同時に、電磁開閉弁２４，２５の駆動回路のチェックを開始する。図４に示されるように、電磁開閉弁２４，２５の駆動回路のチェックは、時刻ｔ１において開始されると、時刻ｔ１以降、すなわちガス暖房機Ａの運転中は継続的に行われる処理となっている。電磁開閉弁２４，２５の駆動回路のチェックの実質的な処理は、複数のルーチンに対して共通に実施するＳＴＥＰ１５，１６において実施される。
【００３３】
制御部３４が電磁開閉弁２４，２５の駆動回路のチェックに関連してＳＴＥＰ１５において実施する具体的内容は、電磁開閉弁２４，２５の駆動回路が故障していないかの検査であり、例えば、電磁開閉弁２４，２５の駆動回路の所定の複数の端子について、それらの端子電圧が、オープン電圧になっていたり、ショート電圧になっていたりする異常を検出することである。オープン電圧は、駆動回路に断線が生じている時に生じる。また、ショート電圧は、例えば異物が駆動回路上の隣接関係の配線間に付着している時に生じる。
【００３４】
制御部３４は、ＳＴＥＰ１６において異常を検出しないと、次の割込み信号発生時にＳＴＥＰ１５を再実行し、ＳＴＥＰ１６において異常を検出したときは、処理をＳＴＥＰ１７に進める。ＳＴＥＰ１７については、ＳＴＥＰ１０の説明後に説明する。
【００３５】
ＳＴＥＰ２（図４：時刻ｔ２−ｔ３）では、制御部３４は、熱電対２０の初期チェックを行い、ＳＴＥＰ３では、熱電対２０の初期チェックの結果、熱電対２０に異常がないと判断すると、処理をＳＴＥＰ４へ進め、熱電対２０に異常があると判断すると、処理をＳＴＥＰ１７へ進める。熱電対２０の初期チェックは、例えば熱電対２０の信号線に短絡が生じていないかを診断するものである。熱電対２０の信号線に短絡が生じていると、火炎がガスバーナ４に生成されていないにもかかわらず、制御部３４における熱電対２０からの入力端子は、アース電圧以外の電圧になって、誤検知の原因になる。
【００３６】
ＳＴＥＰ４（図４：時刻ｔ３）では、制御部３４は、回転速度センサ１６の出力に基づいて送風ファン３の回転速度のチェックを開始する。図４に示されるように、送風ファン３の回転速度のチェックも、電磁開閉弁２４，２５の駆動回路のチェックと同様に、一旦開始されると、ガス暖房機Ａの運転開始時のみならず、ガス暖房機Ａの運転中は継続するようになっている。したがって、送風ファン３の回転速度の実質的なチェックは、電磁開閉弁２４，２５の駆動回路の実質的なチェックと同様に、ＳＴＥＰ１５，１６で行われる。制御部３４が送風ファン３の回転速度のチェックに関連してＳＴＥＰ１５において実施する具体的内容は、例えば、送風ファン３の回転速度が、ファンモータ１４の駆動開始後、所定時間経過後も所定の閾値以上にならなかったり、送風ファン３の回転速度が設定範囲外となったりしたことを、ファン回転速度の異常として検出することである。
【００３７】
ＳＴＥＰ５（図４：時刻ｔ４）では、制御部３４は、電磁開閉弁２４，２５の開弁処理を開始する。この開弁処理は、図４の時刻ｔ４−ｔ８間における電磁開閉弁２４，２５の印加電圧漸増処理により行われる。
【００３８】
図４を参照して、電磁開閉弁２４，２５の印加電圧漸増処理を具体的に説明する。このガス暖房機Ａでは、電磁開閉弁２４，２５の印加電圧の範囲は、０Ｖ〜１２Ｖに設定されている。印加電圧漸増処理では、電磁開閉弁２４，２５の印加電圧は、印加電圧が下限レベル（閉弁レベル）の０Ｖから上限レベル（開弁レベル）の１２Ｖへ向かって、所定の増大速度（＝１２Ｖ／（ｔ８−ｔ４））で漸増される。なお、例えば、ｔ８−ｔ４≒１秒に設定される。また、電磁開閉弁２４，２５の印加電圧と電磁開閉弁２４，２５の通電電流とは比例関係にある。
【００３９】
電磁開閉弁２４，２５は、周知の構造であり、弁体と、ソレノイドと、ばねとを含む。すなわち、ソレノイド（コイル）は、印加電圧に比例した開弁力で弁体を開弁方向へ付勢し、ばねは、縮小寸法に比例した閉弁力で弁体を閉弁方向へ付勢する。制御部３４は、弁体を閉弁位置に保持するときは、印加電圧＝０Ｖにして、弁体をばねの付勢力で弁座に密着させる。制御部３４は、弁体を開弁位置に保持するときは、印加電圧＝１２Ｖにして、弁体をソレノイドによる開弁力でばねによる閉弁力に抗して弁座から離す。
【００４０】
図４において、Ｖａ，Ｖｂ，Ｖｃは、それぞれ時刻ｔ５，ｔ６，ｔ７における電磁開閉弁２４，２５の印加電圧と定義している。０Ｖ＜Ｖａ＜Ｖｂ＜Ｖｃ＜１２Ｖの関係がある。詳しくは、印加電圧漸増処理において、Ｖｂは、弁体が、電磁開閉弁２４，２５の開度０％に対応する位置から電磁開閉弁２４，２５の開度１００％に対応する位置の方へ変位開始する時刻ｔ６における印加電圧であり、Ｖｃは、弁体が、電磁開閉弁２４，２５の開度１００％に対応する位置に到達して、変位終了する時刻ｔ７における印加電圧である。
【００４１】
０≦印加電圧≦Ｖｂの範囲では、ソレノイドによる開弁力＜ばねによる閉弁力であり、弁体は弁座に就座して、電磁開閉弁２４，２５は閉弁状態（＝開度０％）にある。Ｖｂ＜印加電圧＜Ｖｃの範囲では、印加電圧が上昇するに連れて、弁体は、ソレノイドによる開弁力に応じて弁座から離れ、ソレノイドによる開弁力とばねによる閉弁力とが釣り合った位置まで変位し、電磁開閉弁２４，２５は、弁体の位置に応じた中間の開度（０％＜開度＜１００％）になる。Ｖｃ≦印加電圧≦１２Ｖの範囲では、ソレノイドによる開弁力＞ばねによる閉弁力であり、弁体は、ストッパに当接して、電磁開閉弁２４，２５は開弁状態（開度１００％）にある。
【００４２】
電磁開閉弁２４，２５の開弁処理では、印加電圧が０Ｖから１２Ｖ（特にＶｂからＶｃ）へ漸増する印加電圧漸増処理が行われる結果、電磁開閉弁２４，２５の弁体は、閉弁位置から開弁位置へ緩やかに変位し、弁体の開弁位置を規定するストッパに緩やかに当接し、当接音（騒音）が抑制される。
【００４３】
図３に戻って、ＳＴＥＰ６（図４：時刻ｔ５）では、制御部３４は、点火器１９のイグナイタ１９−１を駆動する。これにより、点火電極１９−２は、イグナイタ１９−１から電流を瞬間的にかつ一定時間間隔で供給され、火花を繰り返し発生する。制御部３４は、図４の時刻ｔ５において、印加電圧がＶｂより低いＶａとなるように、印加電圧の開始時刻としての時刻ｔ４又は点火器１９の駆動開始時刻としての時刻ｔ５を調整する。時刻ｔ６までは、電磁開閉弁２４，２５はなお閉弁状態にあり、ガス供給管６は閉止されており、ガスバーナ４におけるガス放出が防止される。
【００４４】
電磁開閉弁２４，２５の開度は、時刻ｔ６以降、０％（全閉）から１００％（全開）の方へ徐々に増大して、時刻ｔ７において、開度＝１００％になる。ガスバーナ４におけるガスの点火は、時刻ｔ６以降の時刻（通常は電磁開閉弁２４，２５の全開時刻としての時刻ｔ７以降の時刻）になる。ガスバーナ４におけるガスの点火は、点火よりも前にガスバーナ４から放出された燃料ガスの全体に行われるので、点火前にガスバーナ４へ供給された燃料ガスが未燃状態で残存することは防止される。
【００４５】
電磁開閉弁２４，２５の印加電圧は、時刻ｔ７以降も上昇して、時刻ｔ８において１２Ｖに達し、それ以降は１２Ｖを維持する。電磁開閉弁２４，２５の開度は、印加電圧≧Ｖｃであれば、１００％であるので、電磁開閉弁２４，２５は、時刻ｔ７以降、全開状態に保持される。
【００４６】
ＳＴＥＰ７では、制御部３４は、熱電対２０からの入力に基づいてガスバーナ４への点火が完了したか否かを判定する。ガスバーナ４への点火が完了すると、火炎が生成され、該火炎の火力により熱電対２０の出力電圧が閾値以上になる。制御部３４は、ＳＴＥＰ７において点火が完了したと判断すると、処理をＳＴＥＰ８に進め、点火が未完了であると判断すると、処理をＳＴＥＰ９へ進める。
【００４７】
ＳＴＥＰ８（図４：時刻ｔ９）では、制御部３４は点火器１９の駆動を停止する。制御部３４は、この後、燃焼運転開始ルーチンを終了する。
【００４８】
ＳＴＥＰ９では、制御部３４は、点火器１９の駆動開始（図４：時刻ｔ５）から所定時間が経過したか否かを判断し、経過していれば、処理をＳＴＥＰ１０へ進め、経過していなければ、処理をＳＴＥＰ７へ戻す。所定時間が経過しても、ガスバーナ４が点火されていないときは、異常等が生じていると考えられる。そこで、ＳＴＥＰ１０では、制御部３４は、点火器１９の駆動を停止し、処理をＳＴＥＰ１７へ進める。
【００４９】
ＳＴＥＰ１７では、制御部３４は、電磁開閉弁２４，２５の印加電圧を閉弁レベルの０Ｖに戻す。これにより、ガス供給管６は閉止され、ガス供給管６からガスバーナ４へのガスの供給は停止する。
【００５０】
ガス暖房機Ａの異常が運転中に検出されることなく、運転者が運転スイッチ２８をオフに操作することによりガス暖房機Ａの運転を停止する通常の運転停止では、制御部３４は、電磁開閉弁２４，２５に対し、印加電圧漸増処理とは反対の印加電圧漸減処理を行って、電磁開閉弁２４，２５を開弁状態から閉弁状態へ戻す。
【００５１】
印加電圧漸減処理は、印加電圧漸増処理とは反対に、電磁開閉弁２４，２５の印加電圧を上限レベル（開弁レベル）の１２Ｖから下限レベル（閉弁レベル）の０Ｖへ向かって、所定の減少速度で漸減する。この結果、電磁開閉弁２４，２５の弁体は、開弁位置から閉弁位置へ緩やかに変位し、弁座に緩やかに当接し、当接音（騒音）が抑制される。
【００５２】
一方、ＳＴＥＰ１７のように、異常が検出されてガス暖房機Ａの運転を緊急に停止する場合には、制御部３４は、印加電圧漸減処理を実施することなく、電磁開閉弁２４，２５の印加電圧を開弁レベルの１２Ｖから閉弁レベルの０Ｖへ一気に下げて、電磁開閉弁２４，２５が開弁状態から閉弁状態に直ちに切替わるようにする。
【００５３】
以上、本発明の実施形態について説明した。ガス暖房機Ａはガス燃焼装置の一例である。燃料ガスをバーナへ導く燃料ガス通路に設けられた電磁開閉弁を備えたガス燃焼装置であれば、ガス給湯器等の他の種類のガス燃焼装置に対しても、本発明の適用が可能である。
【００５４】
本発明の実施形態において、図４の電磁開閉弁２４，２５の印加電圧の０Ｖ〜１２Ｖのうち、０Ｖ〜Ｖａの範囲内の電圧レベルは、印加電圧漸増処理の開始時において、電磁開閉弁２４，２５が閉弁状態となる閉弁レベルの一例であり、Ｖｃ〜１２Ｖの範囲内の電圧レベルは、印加電圧漸増処理の終了時において、電磁開閉弁２４，２５が開弁状態となる開弁レベルの一例である。０Ｖ〜Ｖａは、点火器の駆動開始時（図４の時刻ｔ５）までは電磁開閉弁２４，２５が閉弁状態に保持されるレベル範囲内の一例である。
【００５５】
制御部３４が運転スイッチ２８のオン操作の信号を受けたときは、ユーザによる燃焼運転開始指示を受けたときの一例である。電磁開閉弁２４，２５の駆動回路のチェック、送風ファン３の回転速度のチェック、又は熱電対２０の初期チェックは、所定の異常有無確認処理の一例である。
【００５６】
実施形態では、電磁開閉弁２４，２５の駆動回路のチェック及び送風ファン３の回転速度のチェックを含む複数の異常有無確認処理を実施して、複数の異常有無確認処理のうち、いずれか１つの異常有無確認処理において異常が確認されれば、ＳＴＥＰ１７において電磁開閉弁２４，２５の印加電圧を閉弁レベルに戻している。しかしながら、他の実施形態として、異常が確認されたときに、電磁開閉弁の印加電圧を閉弁レベルに戻す対象とする異常有無確認処理を、複数の異常有無確認処理のうち特定の１つ又は特定の複数の異常有無確認処理のみに限定して、特定の異常有無確認処理以外の異常有無確認処理については、異常が確認されても、印加電圧漸増処理を継続して、他の異常対応処理を行うようにすることもできる。
【００５７】
実施形態のガス暖房機Ａは、電磁開閉弁２４，２５の２つを装備するが、本発明が適用されるガス燃焼装置は電磁開閉弁を１つのみ装備するものであってもよい。
【符号の説明】
【００５８】
Ａ・・・ガス暖房機（ガス燃焼装置）、４・・・ガスバーナ（バーナ）、６・・・ガス供給管（燃料ガス通路）、１９・・・点火器、２４，２５・・・電磁開閉弁、２８・・・運転スイッチ、３４・・・制御部。
【図１】
2014214973.tif 000003
【図２】
2014214973.tif 000004
【図３】
2014214973.tif 000005
【図４】
2014214973.tif 000006